(57)【特許請求の範囲】
【請求項１】
切り替え可能な二組のテープ供給装置と、ロール体からテープを縦向き状態で連続して引出す引出ローラ装置とを具備したラベリングマシンにおいて、
前記テープ供給装置は搭載したロール体からテープを繰り出す駆動源付きの駆動テーブル装置と、
前記駆動テーブル装置及び引出ローラ装置の間に配設され、テープを貯留しながら駆動テーブル装置によるテープの送り量の過不足を検出する送り検出装置と、
引出ローラ装置及び駆動テーブル装置の回転駆動を個別に制御するコントロールユニットとを具備し、
前記送り検出装置は、テープを巻き掛ける複数の不動ローラと、
テープを巻き掛ける複数の揺動ローラを具備するとともに、一端を鉛直の支軸に揺動自在に枢支した揺動杆と、
揺動ローラを不動ローラの離隔方向へ向けて付勢する付勢部材と、
揺動杆の回転角を検出する回転角センサとを具備し、
前記複数の不動ローラと複数の揺動ローラの間にはロール体の切り替えができるだけの長さのテープを貯留し、
引出ローラ装置によるテープの供給量に対して駆動テーブル装置によるテープの繰出し量の過不足を、揺動杆を介して回転角センサで検知し、
前記コントロールユニットは、前記回転角センサの検出値に基づき、前記不動ローラと揺動ローラ間に巻き掛けて貯留していたテープの過不足を補いつつ、駆動テーブル装置によるテープの繰出し速度が引出ローラ装置によるテープの供給速度と等速となるように、駆動テーブル装置の駆動源を制御し、
前記引出ローラ装置が不動ローラと揺動ローラ間に巻き掛けて貯留していたテープを無負荷状態で引き出すことを特徴とする、
ラベリングマシン。
【請求項２】
請求項１において、駆動テーブル装置の外方にロール体のロール径を計測するセンサをさらに具備することを特徴とする、ラベリングマシン。
【発明の詳細な説明】
【技術分野】
【０００１】
本発明はロール体を搭載したラベリングマシンに関し、特に、ロール体からテープを無負荷に近い状態で引出して供給するロール体の供給装置を搭載したラベリングマシンに関するものである。
【背景技術】
【０００２】
この種のラベリングマシンは、ラベル素材であるテープが巻き取られたロール体を搭載する空転テーブルと、ロール体からテープを引出す一対の引出ローラと、空転テーブルと引出ローラの間でテープの張力変化を緩和する張力調整手段とからなるラベルの供給装置を具備している。
ラベリングマシンの連続運転に対応するため、二組のテープ供給装置を装備していて、一方のテープ供給装置によるロール体の供給が終了した直後に、他方のテープ供給装置に切り替えてテープを供給することも知られている。
【０００３】
特許文献１，２等に開示されているように、固定式の固定ローラと、該固定ローラに対して１ｍ前後のスライド移動が可能な張力調整用の可動ローラとにより構成される張力調整手段は周知である。
可動ローラにはばね部材が張設してあって、可動ローラを介したばね部材のばね力で以ってテープに作用する張力を緩和する構造になっている。
【先行技術文献】
【特許文献】
【０００４】
【特許文献１】特開昭５６−１６１２５４号公報
【特許文献２】特開平５−３２２４１号公報
【発明の概要】
【発明が解決しようとする課題】
【０００５】
前記した従来のテープの供給装置にはつぎのような問題点がある。
（１）可動ローラのスライド距離が大きいために、張力調整手段の設置面積が大きくなってラベリングマシンが大型化する問題がある。
（２）固定ローラと可動ローラとの間に巻き掛けたテープには、ばね力に基づいた大きな張力が作用する。
そのために、引出し中にテープの伸びやスリップを生じ易い。
テープに伸びやスリップを生じると、切断位置がずれて規格外の不良ラベルが発生する。
特にテープの引出速度が高速化するほどテープに伸びやスリップを生じ易く、不良ラベルの発生率が高くなる。
（３）テープに作用する張力はテープの引出し直後が最大となる。
そのため、二系統のラベル供給装置を具備したラベリングマシンにあっては、テープの切り替えに１０数秒を要し、この間は被着体の供給を一時的に中断し得るように、大量の被着体のストック分を見込んで供給ラインを長くし形成しておかなければならず、経済的損失が大きい。
（４）テープの張力はテープの引出し速度の影響も受けて、引出し速度が高速になるほど張力も大きくなる。
その一方で、テープの引張強度に限界があるから、テープの引出し速度を無制限に高めることができない。
（５）テープの張力変化を緩和する他の張力調整手段として、ロール体搭載用のテーブルの回転軸をモータ等で以って回転駆動し、ロール体の回転速度を一対の引出ローラの引出し速度に同調させる方法が試みられている。
しかしながらこの方法は、ロール体の周速度をテープの引出速度と完全に一致させることが技術的に難しく、実現が困難である。
（６）ラベルコスト削減の要請から、ラベル素材が樹脂製の場合、テープの厚さがμｍ単位まで極薄化しているが、テープの厚さが薄くなるほどテープの伸びやスリップを生じ易い。
従来のテープの供給装置では、極薄化したテープの伸びやスリップを防止しながら高速で引出すことができなかった。
【０００６】
本発明は以上の点に鑑みて成されたもので、その目的とするところは少なくともつぎのひとつのテープの供給技術を提供することにある。
（１）簡易な構造で以ってテープに張力をほとんど作用させずに高速で供給すること。
（２）テープの供給装置の小型コンパクト化と、ラベリングマシンの小型化が図れること。
（３）ロール体の切り替えを瞬時にかつ円滑に行えること。
（４）ロール体の回転速度を正確に制御できること。
【課題を解決するための手段】
【０００７】
本願の第１発明は、切り替え可能な二組のテープ供給装置と、ロール体からテープを縦向き状態で連続して引出す引出ローラ装置とを具備したラベリングマシンにおいて、
前記テープ供給装置は搭載したロール体からテープを繰り出す駆動源付きの駆動テーブル装置と、前記駆動テーブル装置及び引出ローラ装置の間に配設され、テープを貯留しながら駆動テーブル装置によるテープの送り量の過不足を検出する送り検出装置と、
引出ローラ装置及び駆動テーブル装置の回転駆動を個別に制御するコントロールユニットとを具備し、前記送り検出装置は、テープを巻き掛ける複数の不動ローラと、テープを巻き掛ける複数の揺動ローラを具備するとともに、一端を鉛直の支軸に揺動自在に枢支した揺動杆と、揺動ローラを不動ローラの離隔方向へ向けて付勢する付勢部材と、揺動杆の回転角を検出する回転角センサとを具備し、前記複数の不動ローラと複数の揺動ローラの間にはロール体の切り替えができるだけの長さのテープを貯留し、引出ローラ装置によるテープの供給量に対して駆動テーブル装置によるテープの繰出し量の過不足を、揺動杆を介して回転角センサで検知し、前記コントロールユニットは、前記回転角センサの検出値に基づき、前記不動ローラと揺動ローラ間に巻き掛けて貯留していたテープの過不足を補いつつ、駆動テーブル装置によるテープの繰出し速度が引出ローラ装置によるテープの供給速度と等速となるように、駆動テーブル装置の駆動源を制御し、前記引出ローラ装置が不動ローラと揺動ローラ間に巻き掛けて貯留していたテープを無負荷状態で引き出すことを特徴とする。
本願の第２発明は、前記第１発明において、駆動テーブル装置の外方にロール体のロール径を計測するセンサをさらに具備することを特徴とする。
【発明の効果】
【０００８】
本発明はつぎの何れかひとつの効果を奏する。
（１）送り検出装置とコントロールユニットとが協働して、引出ローラ装置によるテープの供給量に対して駆動テーブル装置によるテープの繰出し量の過不足に応じて、回転角センサの検出値に基づき、駆動テーブル装置によるテープの繰出し速度が引出ローラ装置によるテープの供給速度と等速となるように、駆動テーブル装置の駆動源を制御することができる。
したがって、テープに張力をほとんど作用させずに高速で引出して供給することができる。
（２）付勢部材の付勢力が小さくてすむこと、揺動ローラの動滑車作用に伴うテープの引出し負荷（引出力）を小さくできること、および駆動テーブル装置によるテープの繰出し速度を引出ローラ装置によるテープの供給速度と等速に制御できることにより、テープに張力をほとんど作用させずに引出すことができる。
したがって、テープを高速で引出しても、テープの伸びやスリップを確実に防止することができる。
（３）送り検出装置がコンパクトであるため、テープの供給装置の小型コンパクト化が可能であるだけでなく、ラベリングマシン全体の小型化も図れる。
（４）引出ローラ装置によるテープの引出し開始直後において、不動ローラおよび揺動ローラ間に巻き掛けたテープに不足を生じると、揺動杆が瞬時に揺動して、両ローラの間に巻き掛けて貯留していたテープが引き出されて不足量を補う。
したがって、二組のラベルの供給装置を搭載したラベリングマシンにあっては、ロール体の切り替えを瞬時に、かつ円滑に行うことができる。
（５）駆動テーブル装置の周囲にロール体のロール径を計測するためのセンサを配備すると、変化するロール径に応じて駆動テーブル装置の制御速度を微調整できるので、駆動テーブル装置の回転制御をより正確に行うことができる。
【図面の簡単な説明】
【０００９】
【図１】本発明に係るラベリングマシンの平面モデル図
【図２】図１におけるII−IIの断面図
【図３】送り検出装置の斜視図
【図４】テープの供給装置の作動を説明するための平面モデル図
【発明を実施するための形態】
【００１０】
以下に図面を参照しながら本発明の実施例について説明する。
【００１１】
＜１＞ラベリングマシンの概要
以下図面を参照しながら本発明の一実施の形態について説明する。
図１に本発明に係るテープの供給装置Ａを搭載したラベリングマシンの平面モデル図を示し、図２にテープの供給装置Ａの縦断面図を示し、図３にテープの供給装置Ａの一部を省略した要部の斜視図を示す。
【００１２】
図１に示したラベリングマシンは、一組、又は二組のテープ供給装置Ａと、テープを引出す引出ローラ装置３０とを搭載していて、テープ１１にほとんど張力が作用しない状態でロール体１０から繰り出して、例えばテープ１１を切断する切断装置６０へ連続して供給するようになっている。
【００１３】
ロール体１０は予め連続して多数のラベルを配列表示した帯状のテープ１１が幾重にも巻き付けられている。
テープ１１の裏面にはラベルの切断位置を光学的に読み取るマークが付されていて、切断装置６０はその近傍に配設した光学式のセンサＳ1によるマークの読み取り信号に基づいて所定のラベルサイズに切断することができる。
テープ１１は樹脂製フィルムシート、紙テープ等の公知の素材を含み、また剥離テープにラベルを貼り付けたタッグラベルであってもよい。テープ１１のサイズや素材は使途に応じて適宜選択する。
【００１４】
＜２＞テープの供給装置
図１乃至図３に示すように、テープの供給装置Ａは、ロール体１０のテープ１１をほとんど張力が作用しない無負荷状態で繰り出するための装置で、搭載したロール体１０からテープを繰り出す駆動テーブル装置２０と、一対のローラでテープ１１を引出す引出ローラ装置３０と、前記駆動テーブル装置２０及び引出ローラ装置３０の中間に配設された送り検出装置５０と、引出ローラ装置３０及び駆動テーブル装置２０等の回転駆動を個別に制御するコントロールユニット４０とを具備する。以降に各部について詳説する。
【００１５】
＜２．１＞駆動テーブル装置
駆動テーブル装置２０はロール体１０を搭載するテーブル２１と、該テーブル２１の軸心に鉛直に位置する駆動軸２２と、駆動軸２２を回転駆動する駆動源２３とよりなる。
駆動源２３としては公知のモータが適用可能である。駆動テーブル装置２０の回転制御をより正確に行うには、例えばサーボモータ、インバータ式モータ等を使用することが望ましい。
【００１６】
従来のラベリングマシンはテーブルが駆動源を持たない空転式であった。
本願発明では駆動テーブル装置２０が駆動源２３を具備していて、駆動テーブル装置２０に搭載したロール体１０及び引出ローラ装置３０の間に位置するテープ１１（フリーテープ）に大きな張力が作用しないように、コントロールユニット４０が送り検出装置５０の検出情報に基づいて引出ローラ装置３０の供給速度と同調するようにその回転が制御される。
換言すれば駆動テーブル装置２０の駆動源２３は、引出ローラ装置３０の回転速度の大小に関係なく、駆動テーブル装置２０に搭載したロール体１０及び引出ローラ装置３０の間に位置するテープ１１（フリーテープ）に大きな張力が作用しないように回転が制御される。
駆動テーブル装置２０の回転制御方法については後述する。
【００１７】
＜２．２＞引出ローラ装置
引出ローラ装置３０は、鉛直軸を中心に回転する一対の引出ローラ３１，３１と、引出ローラ３１を回転駆動するモータ等の駆動源３２とよりなる公知の装置で、ローラ３１，３１の周面間に挟持したテープ１１を切断装置６０へ供給する。
【００１８】
＜２．３＞送り検出装置
送り検出装置５０は、駆動テーブル装置２０によるテープ１１の送り量の過不足を検出するための装置で、引出ローラ装置３０がテープ１１を引出す際における負荷（引出力）を小さくする機能と、ロール体１０の切り替えができるだけの長さのテープ１１を貯留する機能を併有する。
【００１９】
送り検出装置５０は、鉛直軸を中心に空転する少なくとも１つの不動ローラ５１と、鉛直の支軸５２を中心に水平に揺動する揺動杆５３と、揺動杆５３に立設し、鉛直軸を中心に空転する少なくとも１つの揺動ローラ５４と、揺動ローラ５４を不動ローラ５１の離隔方向へ向けて常時付勢するばね等の付勢部材５５と、支軸５２の回転角を検出する回転角センサ５６とを具備する。
ロール体１０から引出されたテープ１１は、不動ローラ５１と揺動ローラ５４に交互に掛け渡された後、引出ローラ装置３０へ案内されている。
【００２０】
＜２．３．１＞ローラ
本例では間隔を隔てて二つの不動ローラ５１をＵ字形の取付板５７に立設し、間隔を隔てて二つの揺動ローラ５４を揺動杆５３に立設した形態を示すが、これらのローラ５１，５４の設置数はこれ以上であってもよく、少なくともひとつあればよい。
揺動ローラ５４は、例えれば荷重軽減用の動滑車と同じ働きをするローラで、引出ローラ装置３０によるテープ１１の引出し負荷（引出力）を小さくしてテープ１１のスリップ防止に役立つ。
本例のように揺動ローラ５４をふたつ配備すれば、引出ローラ装置３０におけるテープ１１の引出し負荷を１／４に低減することができる。
【００２１】
＜２．３．２＞揺動杆
揺動杆５３は、揺動ローラ５４の変位（接近または離隔と変位量）を支軸５２の回転へ変換するための部材である。最終的に支軸５２の回転を回転角センサ５６へ伝えられるように構成されていればよい。
図４に示すように、送り検出装置５０は揺動杆５３の時計回り方向の回転を一定範囲に規制するためのストッパ５８を有する。
【００２２】
＜２．３．３＞支軸
本例では支軸５２をテーブル２１の下方に配設した形態について示すが、揺動杆５３の枢支位置はテーブル２１の外方位置であってもよい。
【００２３】
＜２．３．４＞付勢部材
本発明は、付勢部材５５の付勢力のみによって、両ローラ５１，５４間に掛け渡したテープ１１の張力を自動調整するものではない。
付勢部材５５は、揺動ローラ５２を設けた揺動杆５３が不動ローラ５１へ向けた自由な揺動を規制するための規制部材であり、揺動杆５３を不動ローラ５１から離間する方向へ付勢している。
付勢部材５５が揺動杆５３を付勢する力は、引出ローラ装置３０の引出し力を受けたテープ１１が伸びたりスリップしたりしないだけの小さな力を意味する。
【００２４】
本発明では、揺動ローラ５２を不動ローラ５１から離隔させるために必要最小の離隔力を与えるために付勢部材５５を設置するものである。
付勢部材５５の付勢力とは、引出ローラ装置３０の引出し力を受けたテープ１１が伸びたりスリップしたりしないだけの小さな力を意味する。したがって、付勢部材５５の付勢力は小さいほどよい。
【００２５】
付勢部材５５としてはばね部材、公知の弾性部材、または重錘に接続したロープ材を滑車に係留して重量を利用して付勢力を付与する手段（図示せず）等の公知の手段を適用することができる。
また、その配置位置は揺動杆５３に限定されるものではなく、支軸５２側に設けてもよい。
【００２６】
＜２．３．５＞回転角センサ
回転角センサ５６は支軸５２の回転角を検出するためのセンサである。
本例では支軸５２の回転を回転角センサ５６へ伝達する手段として、歯車機構を適用した形態について示すが、公知の変位伝達機構が適用可能である。
【００２７】
＜３＞コントロールユニット
図１に示すように、コントロールユニット４０は、少なくとも引出ローラ装置３０の駆動源３２、駆動テーブル装置２０の駆動源２３、回転角センサ５６と電気的に接続している。
コントロールユニット４０には、回転角センサ５６の検知信号に基づき、引出ローラ装置３０の供給速度と同調するように、駆動テーブル装置２０の駆動源２３の回転を制御するためのプログラムが組み込まれている。
【００２８】
［作用］
つぎにテープの供給装置の作動について説明する。
【００２９】
（１）テープ供給前
図１，２に示すように、テープ１１の供給前においては、引出ローラ装置３０及び駆動テーブル装置２０の駆動源３２，２２は停止している。
送り検出装置５０を構成する揺動杆５３の揺動ローラ５４は、付勢部材５５の付勢力を受けて不動ローラ５１から最も離れた位置に位置している。
このとき、送り検出装置５０の両ローラ５１，５４の間に巻き掛けたテープ１１（フリーテープ）には、張力がまったく作用していない。
【００３０】
（２）テープの供給
コントロールユニット４０による制御指令を受けて、引出ローラ装置３０及び駆動テーブル装置２０の駆動源３２，２２が同時に回転することで、駆動テーブル装置２０によるロール体１０からのテープ１１の強制繰り出しと、引出ローラ装置３０によるテープ１１の引出しとが同時に進行する。
このとき、駆動テーブル装置２０によるテープ１１の供給速度は、引出ローラ装置３０によるテープ１１の引出し速度と等速に制御される。
【００３１】
テープ１１の引出し開始直後において、引出ローラ装置３０によるテープ１１の引出し量に不足を生じる。両ローラ５１，５４の間に巻き掛けたテープ１１に不足が生じると、付勢部材５５を伸張しながら揺動杆５３が支軸５２を中心に揺動ローラ５４に接近方向（図４の反時計回り方向）へ瞬時に揺動して、両ローラ５１，５４の間に巻き掛けて貯留していたテープ１１（フリーテープ）が引き出されて不足量を補う。
【００３２】
また、このときの引出ローラ装置３０によるテープ１１の引出し力は、揺動ローラ５４により低減される。
さらに、付勢部材５５の力が小さいため、テープ１１の引出し開始直後において、テープ１１に大きな張力が作用することはない。
したがって、テープ１１が伸び易い極薄素材であっても、テープ１１（フリーテープ）の破断、伸び、及びスリップを防止しながら高速供給が可能となる。
【００３３】
（３）テープの繰出し制御
ロール体１０が真円体でないことや、ラベルピッチに製造公差があること等の要因により、引出ローラ装置３０の引出し速度を駆動テーブル装置２０の繰出し速度と同速に制御しても、駆動テーブル装置２０によるテープ１１の繰出し量に過不足を生じる。
【００３４】
図４に基づき、テープ１１の繰出し量に過不足を生じたときの、テープの繰出し制御方法について説明する。
【００３５】
駆動テーブル装置２０によるテープ１１の繰出し量が不足すると、揺動杆５３とともに揺動ローラ５４が不動ローラ５１の接近方向へ向けて僅かに揺動する。この揺動杆５３の揺動は支軸５２を通じて回転角センサ５６で検出されてコントロールユニット４０へ入力される。
コントロールユニット４０は回転角センサ５６の検出値に基づき、引出ローラ装置３０の供給速度と同調するように、駆動テーブル装置２０の駆動源２３を増速制御する。
【００３６】
逆に、駆動テーブル装置２０によるテープ１１の繰出し量が過剰になると、揺動杆５３とともに揺動ローラ５４が不動ローラ５１から離間する方向へ向けて僅かに揺動する。この揺動杆５３の揺動は支軸５２を通じて回転角センサ５６で検出されてコントロールユニット４０へ入力される。
コントロールユニット４０は回転角センサ５６の検出値に基づき、引出ローラ装置３０の供給速度と同調するように、駆動テーブル装置２０の駆動源２３を減速制御する。
【００３７】
このように、コントロールユニット４０は、揺動杆５３の振れ角θに応じて、引出ローラ装置３０によるテープ１１の供給速度（供給量）と同調するように、駆動テーブル装置２０によるテープ１１の繰出し速度（繰出し量）を自動制御する。
【００３８】
（４）定速運転
ラベリングマシンの定速運転時においては、引出ローラ装置３０によるテープ１１の供給量と、駆動テーブル装置２０によるテープ１１の繰出し量が同調状態で保たれるために、揺動杆５３の振れ角θは一定となり均衡状態が保たれる。
揺動杆５３の振れ角θはテープ１１の引出し速度の大小に関係なく一定となる。
【００３９】
（５）減速運転
ラベリングマシンの減速運転時では、慣性の影響で揺動杆５３の振れ角θが大きくなり、送り検出装置５０のローラ５１，５４の間に掛け渡したテープ１１（フリーテープ）のプール量が増大する。
揺動杆５３への付勢力は、振れ角θの大小にかかわらず一定である。
【００４０】
（６）ロール体の切替
図１において、右方のロール体１０の供給終了と同時に、左方のテープの供給装置Ａが稼動して左方のロール体１０に切り替わる。
このロール体１０の切替時においても、左方のテープの供給装置Ａを構成する
引出ローラ装置３０によるテープ１１の引出し量に不足を生じるが、既述したテープ１１の引出し開始直後と同様に、揺動杆５３が揺動して両ローラ５１，５４の間に巻き掛けて貯留していたテープ１１（フリーテープ）を引き出して不足量を補う。
したがって、テープ１１が伸び易い極薄素材であっても、テープ１１（フリーテープ）の破断、伸び、及びスリップを防止しながら高速での切替えが可能となる。
【００４１】
ラベリングマシンがラベルの供給装置Ａ，Ａの二系統を具備している場合は、従来と比べてラベル体１０の切替え時間を大幅に短縮できる。
そのため、切替えを終えるまで、容器等の被着体のストック量が少なくなって、供給ラインが短くて済むため全体マシンの小型化、低コスト化を実現できる。
【００４２】
［他の実施例］
図１に示すように、駆動テーブル装置２０の周囲にロール体１０のロール径を計測するための超音波センサ等のセンサＳ2を配備するとともに、センサＳ2によるロール径をコントロールユニット４０へ入力させる場合もある。
本例にあっては、センサＳ2によって計測したロール体１０までの距離を計測する。コントロールユニット４０はその数値に基づきロール径を換算してロール体１０の円周を自動的に算出して、駆動テーブル装置２０の制御速度を微調整できるので、駆動テーブル装置２０の回転制御をより正確に行うことができる。
【符号の説明】
【００４３】
Ａ・・・・・・ラベルの供給装置
Ｓ1，Ｓ2・・・センサ
１０・・・・・ロール体
１１・・・・・テープ
２０・・・・・駆動テーブル装置
２１・・・・・テーブル
２２・・・・・駆動軸
２３・・・・・駆動源
３０・・・・・引出ローラ装置
３１，３１・・引出ローラ
３２・・・・・駆動源
５０・・・・・送り検出装置
５１・・・・・不動ローラ
５２・・・・・支軸
５３・・・・・揺動杆
５４・・・・・揺動ローラ
５５・・・・・付勢部材
５６・・・・・回転角センサ
５７・・・・・取付板
５８・・・・・ストッパ
６０・・・・・切断装置
【図１】
0005458000.tif 000002
【図２】
0005458000.tif 000003
【図３】
0005458000.tif 000004
【図４】
0005458000.tif 000005